(57)【要約】【課題】不正コピー防止用の特定パターンが入った画像データを縮小すると特定パターンが検知できなくなることを防止し、情報セキュリティの向上を図る。【解決手段】スキャナ画像処理部５２は、複数の変倍手段として縮小を行う２つの変倍手段1,2を備えている。この場合、パターン検知部により特定パターンが検知されたとき、変倍率設定制御手段によって、変倍率＝X％が設定される。この変倍率X％は、特定パターンを認識できる変倍率である。ここでは、変倍手段1の変倍率をA％、変倍手段2の変倍率をB％に設定する。X＝A＊B／100である。【選択図】図７
2008219301.tif 000002
【特許請求の範囲】
【請求項１】
原稿を読取り画像データを得る画像読取り手段と、
前記画像データを処理する画像処理手段と、
前記処理された画像データを転写紙に印字する画像書込み手段と、
前記画像データ内の特定パターンを検知するパターン検知手段と、
前記画像データを縮小するための少なくとも２種類の縮小率を有する変倍手段と、
前記変倍手段の縮小率を設定する設定手段とを備えた画像形成装置において、
前記パターン検知手段により前記特定パターンが検知されたとき、前記設定手段の設定値を制御する設定制御手段を備えたことを特徴とする画像形成装置。
【請求項２】
前記設定手段が前記特定パターンを認識可能な最小の縮小率未満の縮小率を設定していた場合は、前記設定制御手段は、前記特定パターンを認識可能な最小の縮小率に変更することを特徴とする請求項１記載の画像形成装置。
【請求項３】
前記設定手段が前記特定パターンを認識可能な最小の縮小率以上の縮小率を設定していた場合は、前記設定制御手段は、前記設定手段の設定値に応じて縮小率を制御することを特徴とする請求項２記載の画像形成装置。
【請求項４】
前記設定制御手段は、前記変倍手段の縮小率の範囲内において制御を行うことを特徴とする請求項２記載の画像形成装置。
【請求項５】
使用者により前記設定手段が操作されて特定の値未満の縮小率が設定された場合、前記設定制御手段は、前記特定の値以上の縮小率に変更することを特徴とする請求項４記載の画像形成装置。
【請求項６】
前記設定制御手段は、管理者の操作に応じて前記設定手段の設定値を解除して縮小率を設定することを特徴とする請求項３記載の画像形成装置。
【請求項７】
前記設定制御手段は、画像形成装置のタイプに応じて設定するパラメータを選択することを特徴とする請求項１記載の画像形成装置。
【請求項８】
原稿を読取り電子化した画像データを得、この画像データを画像処理し、処理された画像データを転写紙に印字すると共に、前記画像データ内の特定パターンを検知し、設定された縮小率に基づいて少なくとも２種類の縮小率を以って前記画像データの変倍処理を行う画像形成方法において、
前記特定パターンが検知されたとき、前記縮小率の設定値を制御することを特徴とする画像形成方法。
【請求項９】
前記特定パターンを認識可能な最小の縮小率未満の縮小率が設定されていた場合は、前記特定パターンを認識可能な最小の縮小率に変更することを特徴とする請求項８記載の画像形成方法。
【請求項１０】
前記特定パターンを認識可能な最小の縮小率以上の縮小率が設定されていた場合は、前記設定値に応じてその設定値を制御することを特徴とする請求項８記載の画像形成方法。
【請求項１１】
前記設定値の制御は、特定の縮小率の範囲内において行うことを特徴とする請求項９記載の画像形成方法。
【請求項１２】
使用者により操作されて特定の値未満の縮小率が設定された場合、特定の値以上の縮小率に変更することを特徴とする請求項１１記載の画像形成方法。
【請求項１３】
管理者の操作に応じて前記設定値を解除して縮小率を設定することを特徴とする請求項１０記載の画像形成方法。
【請求項１４】
画像形成装置のタイプに応じて設定するパラメータを選択できることを特徴とする請求項８記載の画像形成方法。
【請求項１５】
請求項８〜１４記載の画像形成方法をコンピュータに実行させるプログラム。
【請求項１６】
請求項１５記載のプログラムを記録したコンピュータ読み取り可能な記録媒体。
【発明の詳細な説明】
【技術分野】
【０００１】
この発明は、コピー、ファクス、プリンタ、スキャナ、画像データ蓄積等の機能を複合したデジタル複合機等（MFP）の画像形成装置、画像形成方法、この方法をコンピュータに実行させるプログラムおよびプログラムを記録したコンピュータ読み取り可能な記録媒体に関するものである。
【背景技術】
【０００２】
近年、情報セキュリティ管理の安全性が重要視されてきている。現在では、使用者が作成した紙原稿が不特定多数の人々に公開されないようにする目的で、原稿作成時にある特定のパターンを原稿に印字しておき、その特定パターンが入っている原稿をスキャンした場合は、画像データが破壊される（原稿画像データを別のデータに変えて出力し無理つぶしがされたようになる）システムが開発されている。これは、特定パターンが検出されたときに、その原稿データを破壊するので、出力データを入力データにかかわらず、ある固定値に置き換えて実現している。この技術を不正コピーガードと呼ぶ。コピーされることが好ましくないデータにこの処理を施すことによって、情報セキュリティ管理の安全性を高めるようにしている。
【０００３】
例えば特許文献１には、一連のディジタルデータによって意味を成す情報、機能を有するメディアにおいて、全データのコピーを不可能とすることにより、メディアの不正コピーを防止するシステムが提案されている。また、特許文献２には、地紋認識ユニットが装着されている場合には、常に地紋パターンを検出することができる画像読取装置およびその制御方法が提案されている。
【特許文献１】特開２００１−１６６９９７号公報
【特許文献２】特開２００６−１７３９０９号公報
【発明の開示】
【発明が解決しようとする課題】
【０００４】
しかしながら、特定パターンを原稿に記録しておく方法では、画像を縮小する場合、縮小率が高くなると、特定パターンも小さくなって検出することができなくなり、画像データが破壊されないまま出力されるため、情報セキュリティに欠けるという問題があった。この問題は特許文献１，２の従来技術においても解決することは困難であった。
本発明は上記の問題に鑑みてなされたもので、特定パターンが描かれた画像データの縮小率を小さくしても特定パターンを検知できるようにすることを課題とする。
【課題を解決するための手段】
【０００５】
請求項１の発明による画像形成装置は、原稿を読取り電子化した画像データを得る画像読取り手段と、前記画像データを処理する画像処理手段と、前記処理された画像データを転写紙に印字する画像書込み手段と、前記画像データ内の特定パターンを検知するパターン検知手段と、前記画像データを縮小するための少なくとも２種類の縮小率を有する変倍手段と、前記変倍手段の縮小率を設定する設定手段とを備えた画像形成装置において、前記パターン検知手段により前記特定パターンが検知されたとき、前記設定手段の設定値を制御する設定制御手段を備えたことを特徴とするものである。
【０００６】
請求項２の発明による画像形成装置は、請求項１において、前記設定手段が前記特定パターンを認識可能な最小の縮小率未満の縮小率を設定していた場合は、前記設定制御手段は、前記特定パターンを認識可能な最小の縮小率に変更することを特徴とするものである。
【０００７】
請求項３の発明による画像形成装置は、請求項２において、前記設定手段が前記特定パターンを認識可能な最小の縮小率以上の縮小率を設定していた場合は、前記設定制御手段は、前記設定手段の設定値に応じて縮小率を制御することを特徴とするものである。
【０００８】
請求項４の発明による画像形成装置は、請求項２において、前記設定制御手段は、特定の変倍手段の変倍手段の縮小率の範囲内において制御を行うことを特徴とするものである。
【０００９】
請求項５の発明による画像形成装置は、請求項４において、使用者により前記設定手段が操作されて特定の値未満の縮小率が設定された場合、前記設定制御手段は、前記特定の値以上の縮小率に変更することを特徴とするものである。
【００１０】
請求項６の発明による画像形成装置は、請求項３において、前記設定制御手段は、管理者の操作に応じて前記設定手段の設定値を解除して縮小率の設定行うことを特徴とするものである。
【００１１】
請求項７の発明による画像形成装置は、請求項１において、前記設定制御手段は、画像形成装置のタイプに応じて設定するパラメータを選択することを特徴とするものである。
【００１２】
請求項８の発明による画像形成方法は、原稿を読取り電子化した画像データを得、この画像データを画像処理し、処理された画像データを転写紙に印字すると共に、前記画像データ内の特定パターンを検知し、設定された縮小率に基づいて少なくとも２種類の縮小率を以って前記画像データの変倍処理を行う画像形成方法において、前記特定パターンが検知されたとき、前記縮小率の設定値を制御することを特徴とするものである。
【００１３】
請求項９の発明による画像形成方法は、請求項８において、前記特定パターンを認識可能な最小の縮小率未満の縮小率が設定されていた場合は、前記特定パターンを認識可能な最小の縮小率に変更することを特徴とするものである。
【００１４】
請求項１０の発明による画像形成方法は、請求項９において、前記特定パターンを認識可能な最小の縮小率以上の縮小率が設定されていた場合は、前記設定値に応じてその設定値を制御することを特徴とするものである。
【００１５】
請求項１１の発明による画像形成方法は、請求項９において、前記設定値の制御は、特定の縮小率の範囲内において行うことを特徴とするものである。
【００１６】
請求項１２の発明による画像形成方法は、請求項１１において、使用者により操作されて特定の値未満の縮小率が設定された場合、特定の値以上の縮小率に変更することを特徴とするものである。
【００１７】
請求項１３の発明による画像形成方法は、請求項１０において、管理者の操作に応じて前記設定値を解除して縮小率を設定することを特徴とするものである。
【００１８】
請求項１４の発明による画像形成方法は、請求項８において、画像形成装置のタイプに応じて設定するパラメータを選択できることを特徴とするものである。
【００１９】
請求項１５の発明によるプログラムは、請求項８〜１４記載の画像形成方法をコンピュータに実行させるものである。
【００２０】
請求項１６の発明によるコンピュータ読み取り可能な記録媒体は、請求項１５記載のプログラムを記録したものである。
【発明の効果】
【００２１】
請求項１，８の発明によれば、特定のパターンが描かれたデータの縮小が可能となり、その結果、情報セキュリティの向上が可能となる。
請求項２，９の発明によれば、特定の変倍手段の縮小率の過剰低下によって、処理が施されずに検知パターンが出力されることの防止が可能となり、その結果、情報セキュリティの向上が可能となる。
【００２２】
請求項３，１０の発明によれば、特定の値未満の縮小率でのみの制御が可能となり、その結果、特定の値以上の縮小率での不要な制御の防止が可能となる。
請求項４，１１の発明によれば、使用者による優先事項の決定が可能となり、その結果、使用者の自由度の向上が可能となる。
【００２３】
請求項５，１２の発明によれば、特定の変倍手段の縮小率の過剰低下によって、処理が施されずに検知パターンが出力されることの防止が可能となり、その結果、情報セキュリティの向上が可能となる。
請求項６，１３の発明によれば、管理者による基本設定の解除が可能となり、その結果、管理者による縮小率の配分の設定が可能となる。
【００２４】
請求項７，１４の発明によれば、接続先の画像処理装置の様々なタイプに対して対応が可能となり、その結果、様々な画像処理装置での特定のパターンの検知が可能となる。
請求項１５，１６によれば、本発明による画像形成装置における画像形成方法をコンピュータを用いて行うことができる。
【発明を実施するための最良の形態】
【００２５】
以下、添付図面を参照しながら、本発明の実施の形態を詳細に説明する。
図１は本発明の実施の形態による画像形成装置の構成を示すブロック図であり、MFPに適用した場合の構成を示すものである。
図１において、原稿を光学的に読み取る読み取りユニット１は、原稿に対するランプ照射の反射光をミラーおよびレンズにより受光素子に集光する。受光素子(本例ではCCDを例とする)は、SBU(センサー・ボード・ユニット)２に搭載され、CCDにおいて電気信号に変換された画像信号はディジタル信号に変換された後、SBU２から出力される。SBU２から出力される画像信号はCDIC(圧縮/伸張およびデータインターフェイス制御部) ３に入力される。
【００２６】
機能デバイスおよびデータバス間における画像データの伝送はCDIC３が全て制御する。CDIC３は画像データに関し、SBU２、パラレルバス４、IPP(画像処理プロッセッサ) ５間のデータ転送等の全体制御を司るシステムコントローラ６と、画像データに対するプロセスコントローラ７間の通信を行う。SBU２からの画像信号はCDIC３を経由してIPP５に転送され、光学系およびディジタル信号への量子化に伴う信号劣化(スキャナ系の信号劣化とする)を補正した後、再度CDIC３へ出力される。
【００２７】
読み取り画像をメモリに蓄積して再利用するジョブと、メモリに蓄積しないジョブとがあり、それぞれの場合について説明する。
メモリに蓄積する例としては、１枚の原稿を複数枚複写する場合、読み取りユニット１を1回だけ動作させて読み取った画像をメモリに蓄積し、蓄積データを複数回読み出す使い方がある。メモリを使わない例としては、１枚の原稿を１枚だけ複写する場合、読み取り画像をそのまま再生すれば良いので、メモリアクセスを行う必要はない。
【００２８】
まず、メモリを使わない場合、IPP５からCDIC３へ転送されたデータは、再度CDIC３からIPP５へ戻される。IPP５において、CDIC３による輝度データを面積階調に変換するための画質処理を行う。画質処理後の画像データは、IPP５からVDC(ビデオ・データ制御)８に転送する。面積階調に変化された信号に対し、ドット配置に関する後処理およびドットを再現するためのパルス制御を行い、作像ユニット９において転写紙上に再生画像を形成する。
【００２９】
次に、メモリに蓄積し、画像読み出し時に付加的な処理、例えば画像方向の回転、画像の合成等を行う場合の画像データの流れについて説明する。
IPP５からCDIC３へ転送されたデータは、CDIC３からパラレルバス４を経由してIMAC(画像メモリアクセス制御) １０に送られる。ここではシステムコントローラ６の制御に基づき画像データとMEM(メモリモジュール)１１のアクセス制御、外部PC(パソコン) １２のプリント用データの展開、メモリ有効活用のための画像データの圧縮/伸張を行う。IMAC１０へ送られたデータはデータ圧縮後MEM１１へ蓄積し、蓄積データを必要に応じて読み出す。読み出しデータは伸張して本来の画像データに戻し、IMAC１０からパラレルバス４経由でCDIC３へ戻される。CDIC３からIPP５への転送後は画質処理およびVDC８でのパルス制御を行い、作像ユニット９において転写紙上に再生画像を形成する。作像ユニット９の制御は読み取りが開始された時点で開始される。
【００３０】
画像データの流れにおいて、パラレルバス４およびCDIC３でのバス制御により、MFPの機能を実現する。複数ジョブ、例えばコピー機能、FAX送受信機能、プリンタ出力機能が並行に動作する状況において、読み取りユニット１、作像ユニット９およびパラレルバス４の使用権のジョブへの割り振りを、システムコントローラ６およびプロセスコントローラ７にて制御する。プロセスコントローラ７は画像データの流れを制御し、システムコントローラ６はシステム全体を制御し、各リソースの起動を管理する。
【００３１】
MFPの機能選択はOperation Panel(操作部)１３にて選択入力し、処理内容を設定する。
システムコントローラ６とプロセスコントローラ７は、パラレルバス４、CDIC３およびシリアルバス１４を介して相互に通信を行う。CDIC３内においてパラレルバス４とシリアルバス１４とのデータインターフェイスのためのデータフォーマット変換を行う。
【００３２】
図２はCDIC３の概略構成を示すブロック図である。
図２において、画像データ入出力部３１は、SBU２からの画像データを入力し、IPP５に対してデータを出力する。画像データ入力制御部３２には、IPP５でスキャナ画像補正されたデータが入力される。この入力データは、パラレルバス４での転送効率を高めるために、データ圧縮部３３においてデータ圧縮される。圧縮データは、データ変換部３７でデータ変換された後、パラレルデータ I/F３４を介してパラレルバス４へ送出される。
【００３３】
パラレルデータバス４からパラレルデータI/F３４を介して入力される画像データは、バス転送のために圧縮されているので、データ変換部３７でデータ変換された後、データ伸張部３５で伸張される。伸張された画像データは、画像データ出力制御部３６においてIPP５へ転送される。ここでの圧縮伸張に使われる符号化方式の一例としては、MFPに適している符号語長が固定の方式が挙げられる。固定長の符号化方式は、符号状態で符号化前の画像の位置がわかるために、任意の部分の画像のみを再生することが可能である。また、画像加工や編集性にも適している。
【００３４】
データ変換部３７は、パラレルデータとシリアルデータとを互いに変換する機能を持つ。システムコントローラ６はパラレルバス４にデータを転送し、プロセスコントローラ７はシリアルバス１４にデータを転送する。このためデータ変換部３７は、２つのコントローラ６，７間の通信のためにデータ変換を行う。シリアルデータ I/F３８，３９は、IPP５用にも更に１系統持ち、IPP５ともI/Fを行う。コマンド制御部４０は、各部に対するコマンドを制御する。
【００３５】
図３はIMAC１０のブロック構成の概略である。
パラレルデータ I/F部４１は、パラレルバス４との画像データのインターフェイスを管理する。構成的には、MEM１１への画像データの格納/読み出しと、主に外部のPC１２から入力されるコードデータの画像データへの展開を制御する。MEM１１の例としては、半導体メモリ、ハードディスク、もしくはその両方である。入力されたコードデータは、ラインバッファ４２においてローカル領域でのデータの格納を行う。ラインバッファ４２に格納されたコードデータは、システムコントローラ I/F４３を介して入力されたシステムコントローラ６からの展開処理命令に基づき、ビデオ制御部４４において画像データに展開される。
【００３６】
展開された画像データ又はパラレルデータ I/F４１を介してパラレルバス４から入力された画像データは、MEM１１に格納される。この場合、データ変換部４５において格納対象となる画像データを選択し、データ圧縮部４６においてメモリ使用効率を上げるためにデータ圧縮を行い、メモリアクセス制御部４７にてMEM１１のアドレスを管理しながらMEM１１に画像データを格納する。ここでの圧縮伸張に使われる符号化方式の一例としては、MEM１１の領域節約に適した高能率な符号化方式が挙げられる。これは前述したCDIC３に要求される機能重視の符号化方式と異なり、効率重視の符号化方式である。
【００３７】
MEM１１に格納された画像データの読み出しは、メモリアクセス制御部４７にて読み出し先アドレスを制御し、読み出された画像データをデータ伸張部４８にて伸張する。伸張された画像データをパラレルバス４へ転送する場合、パラレルデータ I/F４１を介してデータ転送を行う。
【００３８】
図４は画像処理を行うIPP５の概略構成を示すブロック図である。
前提として、原稿画像には、不正コピー防止用の特定パターンが画像として埋め込まれているものとする。読み取り画像は、SBU２、CDIC３を介してIPP５の入力I/F５１からスキャナ画像処理部５２へ伝達される。スキャナ画像処理部５２において、入力画像データに対して本来のスキャナ画像処理が行われると同時に、パターン検知部５３にも画像データが分岐され、画像データ内の上記特定パターンを検知する。検知した情報はコマンド制御・プログラム制御部５４を介してプロセスコントローラ７へ通知される。特定パターン検知部５３は検知だけを行い、画像データの変更は行わない。プロセスコントローラ７はパターン検知の通知を受けると、スキャナ画像処理部５２の制御を即座に変更し、出力画像データを入力画像データにかかわらず、出力させないようにする。
【００３９】
通常、スキャナ画像処理部５２によるスキャナ画像処理のパスでは、読み取り画像データの劣化補正を目的とするシェーディング補正、スキャナγ補正、MTF補正等を行う。また、また、画像の拡大手段と縮小手段からなる変倍手段が設けられていて、画像の拡大/縮小の変倍処理も行う。読み取り画像データの補正処理、変倍処理の終了後、出力I/F５５を介してCDIC３へ画像データを転送する。
【００４０】
転写紙への出力は、CDIC３からの画像データを入力I/F５６より受け、画質処理部５７において面積階調処理を行う。画質処理後のデータは出力I/F５８を介してVDC８へ出力される。面積階調処理は濃度変換、ディザ処理、誤差拡散処理等が有り、階調情報の面積近似を主な処理とする。
【００４１】
一旦スキャナ画像処理された画像データをメモリ（MEM１１）に蓄積しておけば、画質処理を変えることによって種々の再生画像を確認することができる。例えば再生画像の濃度を振ってみたり、ディザマトリクスの線数を変更してみたりすることで、再生画像の雰囲気を変更できる。この時処理を変更する度に画像を読み取りユニット１から読み込み直す必要はなく、MEM１１から格納画像を読み出せば、同一データに対して何度でも異なる処理を実施できる。また、単体スキャナの場合、スキャナ画像処理と階調処理を合せて実施し、CDIC３へ出力する。
【００４２】
図５はVDC８の構成を概略的に示すブロック図である。
IPP５から入力される画像データに対して作像ユニット９の特性に応じて追加の処理を行う。即ち、エッジ平滑処理部６１によるドットの再配置処理と、パルス制御部６２によるドット形成のための画像信号のパルス制御処理を行い、処理された画像データは作像ユニット９に出力される。画像データの上記変換処理とは別に、パラレルデータI/F６４とシリアルデータI/F６５とを備え、データ変換部６３によるデータのフォーマット変換機能を併せ持ち、VDC８単体でもシステムコントローラ６とプロセスコントローラ７の通信に対応することができる。
【００４３】
図６に特定パターンの検知が行われた際の画像データの流れの一例を太い矢印で示す。
図６において、プロセスコントローラ７がIPP５のパターン検知部５３で検知した情報を受けると、スキャナ画像処理部５２において処理された画像データは、出力I/F５５を介してCDIC３へ転送される。更に画像データは、CDIC３のパラレルデータI/F３４を介してパラレルバス４へ転送され、MEM１１に画像データに格納される。一方、パターン検知の通知を受けなかった画像データのみが、IPP５の出力I/F５５、CDIC３、入力I/F５６を介して画質処理部５７へ転送され、面積階調処理を行う。画質処理後のデータは出力I/F５８を介してVDC８へ出力される。
【００４４】
次に、本発明の第１〜７の実施の形態を図７〜１３について説明する。
各実施の形態においては、スキャナ画像処理部５２は、複数の変倍手段として２つの変倍手段1,2を備えており、この変倍手段1,2を用いて縮小を行うものとする。この場合、パターン検知部５３により特定パターンが検知されたとき、変倍率の設定制御手段によって、各実施の形態で述べる方法で変倍率＝X％が設定される。この変倍率X％は、特定パターンを認識できる変倍率である。尚、上記変倍率の設定制御手段は、画像形成装置本体に組み込まれるか、又は外部から着脱可能に装着するようにしてよい。
【００４５】
図７は第１の実施の形態を示す。
図７に示すように、変倍手段1の変倍率をA％、変倍手段2の変倍率をB％に設定する。ここでX＝A＊B／100である。
【００４６】
本実施の形態によれば、特定パターンが描かれた画像データの縮小が縮小率を選ぶことにより可能となる。その結果、情報セキュリティの向上を図ることができる。
【００４７】
図８は第２の実施の形態を示す。
図８に示すように、特定パターンを認識できる最小の変倍率（ここでは縮小率、以下同じ）をXmin％とする。Xmin％未満の変倍率X％（＜Xmin％）を設定する場合、変倍手段1の変倍率をAmin％、変倍手段2の変倍率をB％に設定する。ここで、X＝Amin＊B／100とする。
【００４８】
本実施の形態によれば、縮小率を特定パターンを認識可能な最小の値に設定することができるので、特定の変倍手段の縮小率の過剰低下によって、処理が施されずに特定パターンが出力されることを防止をすることができる。その結果、情報セキュリティの向上を図ることができる。
【００４９】
図９は第３の実施の形態を示す。
図９に示すように、Xmin％未満の変倍率Xを設定する場合は、変倍手段1の変倍率をAmin％、変倍手段2の変倍率をB％に設定する。Xmin％以上の変倍率Xを設定する場合は、変倍手段1の変倍率をA％、変倍手段2の変倍率をB％に設定する。
【００５０】
本実施の形態によれば、Xmin未満の縮小率でのみの制御が可能となり、その結果、Xmin以上の縮小率での不要な制御が行われることを防止することができる。
【００５１】
図１０は第４の実施の形態を示す。
図１０に示すように、使用者がOperation Panel１３から変倍手段1の変倍率をA％(＞Amin％)、変倍手段2の変倍率をB％に設定した場合、システムコントローラ６からIMAC１０、CDIC３を介してスキャナ画像処理部５２に設定情報を送信する。スキャナ画像処理部５２においては、変倍手段1の変倍率をA％、変倍手段2の変倍率をB％に設定する。
【００５２】
本実施の形態によれば、使用者による設定が優先され、使用者の自由度を増すことができる。
【００５３】
図１１は第５の実施の形態を示す。
図１１に示すように、使用者がOperation Panel１３から変倍手段1の変倍率をA％、変倍手段2の変倍率をB％に設定した場合に、変倍手段1の変倍率A％が特定の値(Amin)未満である場合は、システムコントローラ６からIMAC１０、CDIC３を介してスキャナ画像処理部５２に設定情報を送信する。スキャナ画像処理部５２においては、変倍手段1の変倍率をAmin％、変倍手段2の変倍率をB％に設定する。ここでX＝Amin＊B／100（＝A＊B／100）である。
【００５４】
本実施の形態によれば、特定の変倍手段の縮小率の過剰低下によって、処理が施されずに特定パターンが出力されることを防止することができる。その結果、情報セキュリティの向上を図ることができる。
【００５５】
図１２は第６の実施の形態を示す。
図１２に示すように、管理者がOperation Panel１３からパスワード(ここでは****)を入力し、変倍手段1の変倍率をA％、変倍手段2の変倍率をB％に設定した場合、システムコントローラ６からIMAC１０、CDIC３を介してスキャナ画像処理部５２に設定情報を送信する。スキャナ画像処理部５２においては、変倍手段1の変倍率をA％、変倍手段2の変倍率をB％に設定する。
【００５６】
本実施の形態によれば、管理者による基本設定の解除が可能となる。その結果、管理者による縮小率の配分の設定が可能となる。
【００５７】
図１３は第７の実施の形態を示す。
図１３に示すように、管理者がシステムコントローラ６からパスワード(ここでは****)を入力し、変倍手段1の変倍率をA％、変倍手段2の変倍率をB％に設定した場合、システムコントローラ６からIMAC１０、CDIC３を介してスキャナ画像処理部５２に設定情報を送信する。スキャナ画像処理部５２においては、変倍手段1の変倍率C％、変倍手段2の変倍率をD％に設定する。
【００５８】
本実施の形態によれば、様々なタイプの画像処理装置に対応することができ、その結果、様々な画像処理装置において特定パターンを検知することができる。
【００５９】
次に、本発明によるプログラムおよび記録媒体の実施の形態について説明する。
上述した各実施の形態による画像形成装置を構成する各機能をプログラム化し、予めROMなどの記録媒体に書き込んでおき、このROMを画像処理装置に搭載して、画像処理装置に搭載したマイクロプロセッサでROM内のプログラムを実行することによって、本発明の目的を達成することができる。なお、記録媒体としては半導体媒体（例えば、ROM、不揮発性メモリカード等）、光媒体（例えば、DVD、MO、MD、CD-R等）、磁気媒体（たとえば、磁気テープ、フレキシブルディスク等）のいずれであってもよい。また、ロードしたプログラムの指示に基づき、オペレーティングシステム等が実際の処理の一部又は全部を行い、その処理によって各実施の形態の機能が実現される場合も含まれる。さらに、上記プログラムをサーバコンピュータのHDD等の記憶装置に格納しておき、ネットワークで接続された利用者のコンピュータからダウンロードして頒布する場合、また、サーバコンピュータから配信して頒布する場合、このサーバコンピュータの記憶装置も本発明の記録媒体に含まれる。このように、本発明の機能をプログラムして、記録媒体に記録し頒布することによって、コスト、可搬性、汎用性を向上させることができる。
【図面の簡単な説明】
【００６０】
【図１】本発明による画像形成装置の構成を示すブロック図である。
【図２】本発明の実施の形態によるCDICの構成を示すブロック図である。
【図３】本発明の実施の形態によるIMACの構成を示す処理ブロック図である。
【図４】本発明の実施の形態によるIPPの構成を示すブロック図である。
【図５】本発明の実施の形態によるVDCの構成を示すブロック図である。
【図６】本発明の実施の形態による特定パターン検知が行われたときのデータの流れの一例を示す構成図である。
【図７】本発明の第１の実施の形態による制御例を示す構成図である。
【図８】本発明の第２の実施の形態による制御例を示す構成図である。
【図９】本発明の第３の実施の形態による制御例を示す構成図である。
【図１０】本発明の第４の実施の形態による制御例を示す構成図である。
【図１１】本発明の第５の実施の形態による制御例を示す構成図である。
【図１２】本発明の第６の実施の形態による制御例を示す構成図である。
【図１３】本発明の第７の実施の形態による制御例を示す構成図である。
【符号の説明】
【００６１】
１    読み取りユニット１
２    SBU(センサー・ボード・ユニット)
３    CDIC(圧縮/伸張およびデータインターフェイス制御部)
４    パラレルバス
５    IPP(画像処理プロッセッサ)
６    システムコントローラ６
７    プロセスコントローラ
８    VDC(ビデオ・データ制御)
９    作像ユニット
１０    IMAC(画像メモリアクセス制御)
１１    MEM(メモリモジュール)
１２    外部PC(パソコン)
１３    Operation Panel(操作部)
１４    シリアルバス
３３    データ圧縮部
３５    データ伸張部
３７    データ変換部
４４    ビデオ制御部
４７    データ変換部
４６    データ圧縮部
４７    メモリアクセス制御部
４８    データ伸張部
５２    スキャナ画像処理部
５３    パターン検知部
５７    画質処理部
６１    エッジ平滑処理部
６２    パルス制御部
６３    データ変換部
【図１】
2008219301.tif 000003
【図２】
2008219301.tif 000004
【図３】
2008219301.tif 000005
【図４】
2008219301.tif 000006
【図５】
2008219301.tif 000007
【図６】
2008219301.tif 000008
【図７】
2008219301.tif 000009
【図８】
2008219301.tif 000010
【図９】
2008219301.tif 000011
【図１０】
2008219301.tif 000012
【図１１】
2008219301.tif 000013
【図１２】
2008219301.tif 000014
【図１３】
2008219301.tif 000015